(57)【要約】  ＬＥＤ発光装置３０は、光を入射する入射面を有する矩形状の導光板３３を保持する矩形状の保持板３１と、導光板３３の入射面に対向する位置に設けられたＬＥＤ１０とを含む。ＬＥＤ１０は保持板３１に着脱自在に設けられたヒートシンク３２と一体化されているため、ＬＥＤ１０はヒートシンク３２とともに、保持板から容易に取外すことができる。
2012098631.tif 000002
【特許請求の範囲】
【請求項１】
光を入射する入射面を有する直方体状の導光板を保持する矩形状の保持板と、
前記導光板の前記入射面に対向する位置に設けられたＬＥＤとを含み、
前記ＬＥＤは前記保持板に着脱自在に設けられたヒートシンクと一体化されている、ＬＥＤ発光装置。
【請求項２】
前記ヒートシンクはアルミ製である、請求項１に記載のＬＥＤ発光装置。
【請求項３】
前記保持板はアルミ板である、請求項１に記載のＬＥＤ発光装置。
【請求項４】
前記ＬＥＤ発光装置は照明器具として利用可能である、請求項１に記載のＬＥＤ発光装置。
【請求項５】
前記ＬＥＤ発光装置は案内板として利用可能である、請求項１に記載のＬＥＤ発光装置。
【請求項６】
前記ヒートシンクは前記導光板と対向する面を有し、前記導光板と対向する側に庇を有する、請求項１に記載のＬＥＤ発光装置。
【請求項７】
前記案内板は屋上に設けられる、請求項５に記載のＬＥＤ発光装置。
【請求項８】
前記案内板は吊り下げ用案内板である、請求項５に記載のＬＥＤ発光装置。
【発明の詳細な説明】
【技術分野】
【０００１】
この発明はＬＥＤ発光装置に関し、特に保守の容易なＬＥＤ発光装置に関する。
【背景技術】
【０００２】
従来からＬＥＤ発光装置が利用されている。このようなＬＥＤ発光装置において、導光板の発熱を考慮して、ヒートシンクを用いた導光板が、例えば特許文献１に開示されている。図６は特許文献１に開示されたＬＥＤ発光装置の要部を示す断面図である。図６を参照して、ＬＥＤ発光装置は、ＬＥＤパッケージ１１０と、ＬＥＤパッケージ１１０の背面に接着剤で接続されたヒートシンク１３０と、ＬＥＤパッケージ１１０の前方に設けられた導光板１４０と、ＬＥＤパッケージ１１０、ヒートシンク１３０、導光板１４０を一体的に保持するケース１２０とを含む。ＬＥＤパッケージ１１０は、基板１１０ｂと基板１１０ｂの上に設けられたＬＥＤ１１０ａとＬＥＤ１１０ａを覆う透光性封止部１１０ｃとを含む。【０００３】
ケース１２０は断面が矩形状の長手部材であり、上部部材１２０ａと下部部材１２０ｂと上下部材１２０ａ，１２０ｂをヒートシンク１３０側で接続する接続部材１２０ｃとを含み、接続部材１２０ｃには所定の位置に開口部が設けられ、この開口部にヒートシンク１３０の突出部１３０ａが嵌まり込んでいる。一方、ヒートシンク１３０の突出部１３０ａとＬＥＤパッケージ１１０の基板１１０ｂとは接着剤で一体化されている。また、ＬＥＤパッケージ１１０のＬＥＤ側には所定のスペースを介して導光板１４０が上下部材１２０ａ，１２０ｂに挟まれて保持されている。
【先行技術文献】
【特許文献】
【０００４】
【特許文献１】特開２００９−１１０８１１号公報
【発明の概要】
【発明が解決しようとする課題】
【０００５】
従来のヒートシンクを有するＬＥＤを用いた発光装置は上記のように構成されていた。導光板１４０とＬＥＤパッケージ１１０とヒートシンク１３０とがケース１２０で一体として保持されているため、ＬＥＤが故障してＬＥＤパッケージを取り替えるときには、ケース１２０、導光板１４０、ＬＥＤパッケージ１１０およびヒートシンク１３０をばらばらにする必要がある。しかしながら、ＬＥＤパッケージ１１０とヒートシンク１３０とが接着剤で一体化されるとともに、接続部材１２０ｃには開口部１３０ａを設けるためのリブ１２１が設けられているため、ケース１２０からそれぞれの部品を取外すのが困難であり、ＬＥＤの故障時の処理が困難であるという問題があった。【０００６】
この発明は上記のような問題点に鑑みてなされたもので、ＬＥＤの故障時の処理のような、メンテナンスが容易なＬＥＤ発光装置を提供することを目的とする。
【課題を解決するための手段】
【０００７】
この発明に係るＬＥＤ発光装置は、光を入射する入射面を有する直方体状の導光板を保持する矩形状の保持板と、導光板の前記入射面に対向する位置に設けられたＬＥＤとを含み、ＬＥＤは保持板に着脱自在に設けられたヒートシンクと一体化されている。【０００８】
好ましくは、ヒートシンクはアルミ製である。【０００９】
さらに好ましくは、保持板はアルミ板である。【００１０】
ＬＥＤ発光装置は照明器具として利用可能であってもよいし、案内板として利用可能であってもよい。【００１１】
また、ヒートシンクは導光板と対向する面を有し、導光板と対向する側に庇を有するのが好ましい。【００１２】
また、案内板は屋上に設けられてもよいし、吊り下げて使用されてもよい。
【発明の効果】
【００１３】
ＬＥＤは保持板に着脱自在に設けられたヒートシンクと一体化されているため、ＬＥＤが故障したときは、保持板からヒートシンクごと容易に取り外すことができる。【００１４】
その結果、保守の容易なＬＥＤ発光装置を提供できる。
【図面の簡単な説明】
【００１５】
【図１Ａ】クリータイプのＬＥＤを示す図である。
【図１Ｂ】図１Ａにおいて、矢印ＩＢ-ＩＢで示す部分の矢視図である。
【図２Ａ】ＭＣＭタイプのＬＥＤを示す図である。
【図２Ｂ】図２Ａにおいて、矢印ＩＩＢ-ＩＩＢで示す部分の矢視図である。
【図３Ａ】クリータイプのＬＥＤを用いたＬＥＤ発光装置を示す斜視図である。
【図３Ｂ】図３Ａにおいて、矢印ＩＩＩＢ-ＩＩＩＢで示す部分の矢視図である。
【図４Ａ】ＭＣＭタイプのＬＥＤを用いたＬＥＤ発光装置を示す斜視図である。
【図４Ｂ】図４Ａにおいて、矢印ＩＶＢ-ＩＶＢで示す部分の矢視図である。
【図５Ａ】異なる形状の保持板を有するＬＥＤ発光装置の要部を示す図である。
【図５Ｂ】異なる形状の保持板を有するＬＥＤ発光装置の要部を示す図である。
【図６】従来のＬＥＤ発光装置の要部を示す断面図である。
【発明を実施するための形態】
【００１６】
以下、この発明の一実施の形態を図面を参照して説明する。図１Ａ〜図２Ｂはこの実施の形態で使用するＬＥＤの形式を示す図である。図１ＡはクリータイプのＬＥＤの平面図であり、図１Ｂは図１Ａにおいて矢印ＩＢ−ＩＢで示す部分の矢視図である。図１Ａおよび図１Ｂに示すように、クリータイプのＬＥＤ１０は矩形状で薄い板状の基板１１と基板１１の上に設けられた立方体状の発光部１２とを含む。クリータイプのＬＥＤ１０は基板１１のほぼ中央に発光部１２が設けられている。
【００１７】
図２ＡはＭＣＭタイプのＬＥＤの平面図であり、図２Ｂは図２Ａにおいて矢印ＩＩＢ−ＩＩＢで示す部分の矢視図である。図２Ａおよび図２Ｂに示すように、ＭＣＭタイプのＬＥＤ２０は矩形状で薄い板状の基板２１と基板２１の上に設けられた直方体状の発光部ユニット２２とを含む。ＭＣＭタイプのＬＥＤ２０は基板２１の一方側に設けられ、複数の発光部が一体化された発光ユニット２２が設けられており、発光ユニット２２が設けられていない箇所には、ＬＥＤ２０を固定するためのねじ孔２３が設けられている。
【００１８】
次にこれらのＬＥＤ１０，２０が組み込まれた発光装置について説明する。図３ＡはクリータイプのＬＥＤ１０を組み込んだＬＥＤ発光装置３０を示す斜視図であり、図３Ｂは図３Ａにおいて、矢印ＩＩＩＢ−ＩＩＩＢで示す部分の断面図である。クリータイプのＬＥＤ１０を組み込んだＬＥＤ発光装置３０は、一般に照度が低いため、案内板等として利用される。
【００１９】
図３Ａおよび図３Ｂを参照して、ＬＥＤ発光装置３０は、平面部３１ａと平面部３１ａの一方向の両端部に設けられたリブ３１ｂ，３１ｃとを有する断面Ｕ字状のアルミ製の導光板ケース３１と、アルミ製の導光板ケース３１のリブ３１ｂ，３１ｃに沿って設けられた中実の直方体状のヒートシンク３２ａ，３２ｂとを含む。ヒートシンク３２ａ，３２ｂのリブ３１ｂ，３１ｃの反対側には複数のクリータイプのＬＥＤ１０が所定の間隔を開けて一列に整列して取付けられている。このクリータイプのＬＥＤ１０のヒートシンク３２ａ，３２ｂへの取付けは、両面テープや接着剤によって行なわれている。すなわち、ＬＥＤ１０はヒートシンク３２ａ，３２ｂに固定されている。また、ヒートシンク３２ａ，３２ｂのＬＥＤ１０側の面には、図示のない配線が設けられている。
【００２０】
複数のＬＥＤ１０が取付けられたヒートシンク３２ａ，３２ｂの間には、ＬＥＤ１０に対向する入射面を有する直方体状の導光板３３が設けられている。導光板３３はアルミ製の導光板ケース３１に接着剤等で固定されている。
【００２１】
次に、ヒートシンク３２ａ，３２ｂとアルミ製の導光板ケース３１との取付け方法について説明する。図３Ａを参照して、アルミ製の導光板ケース３１のリブ３１ｂ，３１ｃの外側にはねじ孔３４ａ，３４ｂが設けられている。また、ヒートシンク３２ａ，３２ｂのねじ孔３４ａ，３４ｂに対応する位置にも図示のないねじ孔が設けられている。このねじ孔３４ａ，３４ｂに図示のないねじを挿入することによってアルミ製の導光板ケース３１に対してヒートシンク３２ａ，３２ｂを着脱自在に取付け可能となる。一方、ヒートシンク３２ａ，３２ｂにはＬＥＤ１０が取付けられているため、ヒートシンク３２ａ、３２ｂをアルミ製の導光板ケース３１から外すことによって、複数のＬＥＤ１０を一度に取り替えることが可能になる。
【００２２】
ここでヒートシンク３２ａ，３２ｂについて説明する。ヒートシンク３２ａ，３２ｂは矩形の断面を有するアルミであり、熱伝導率が高いため、放熱性がよい。また、ヒートシンク３２ａ，３２ｂを、平面部３１ａとリブ３１ｂ、３１ｃと一体化したため薄くて軽い、アルミ製の導光板ケース３１の全体からの放熱が可能になる。
【００２３】
また、ねじ孔３４ａ，３４ｂに図示のないねじを挿入することによってアルミ製の導光板ケース３１に対してヒートシンク３２ａ，３２ｂを着脱自在に取付け可能したため、メンテナンスが容易になる。
【００２４】
なお、ヒートシンク３２ａ，３２ｂはその平面部３１ａに面する一辺の寸法をａ、それに直交する辺の寸法をｂとし、導光板３３の厚さをｃとしたとき、この寸法の一例としては、ａ＝５ｍｍであり、ｂ＝８ｍｍであり、ｃ＝５ｍｍである。ＬＥＤ発光装置としてはこの比率が保たれるのが好ましい。
【００２５】
次にＭＣＭタイプのＬＥＤが組み込まれた発光装置について説明する。図４ＡはＭＣＭタイプのＬＥＤ２０を組み込んだ発光装置４０を示す斜視図であり、図４Ｂは図４Ａにおいて矢印ＩＶＢ−ＩＶＢで示す部分の断面図である。なお、ここでは、図４Ｂは図４Ａに対して反転している。
【００２６】
図４Ａおよび図４Ｂに示すＭＣＭタイプのＬＥＤ２０を組み込んだ発光装置は照度が高いため、照明装置として利用される。
【００２７】
図４Ａおよび図４Ｂを参照して、ＬＥＤ発光装置４０は、平面部４１ａと平面部４１ａの一方向の両端部に設けられた一対のヒートシンク４２ａ，４２ｂとヒートシンク４２ａ，４２ｂに挟まれるように設けられた直方体状の導光板４３を含む。ヒートシンク４２ａ，４２ｂは、その断面がアルミ製の導光板ケース４１の反対側であって導光板４３側に庇４４ａ，４４ｂを有する矩形状である。
【００２８】
ヒートシンク４２ａ，４２ｂの導光板４３に対向する側には、複数のＭＣＭタイプのＬＥＤ２０が一列に整列して取付けられている。このＭＣＭタイプのＬＥＤ２０のヒートシンク４２ａ，４２ｂへの取付けは、上記で説明したようにねじ孔を用いて行なってもよいし、両面テープや接着剤によって行なってもよい。すなわち、ＬＥＤ２０はヒートシンク４２ａ，４２ｂに固定されている。
【００２９】
複数のＬＥＤ２０が取付けられたヒートシンク４２ａ，４２ｂの間には、上記したように、ＬＥＤ１０に対向するように導光板４３が設けられている。導光板４３はアルミ製の導光板ケース４１に接着剤等で固定されている。
【００３０】
次に、ヒートシンク４２ａ，４２ｂとアルミ製の導光板ケース４１との取付け方法について説明する。ヒートシンク４２ａのアルミ製の導光板ケース４１側（裏面側）にはねじ孔４５ａ，４５ｂが設けられており、このねじ孔４５ａ，４５ｂにねじ４６ａ，４６ｂを挿入してヒートシンク４２ａをアルミ製の導光板ケース４１に取付ける。なお、ヒートシンク４２ｂも同様にアルミ製の導光板ケース４１に取付けられる。
【００３１】
この構成によって、アルミ製の導光板ケース４１に対してヒートシンク４２ａ，４２ｂを着脱自在に取付け可能となる。一方、ヒートシンク４２ａ，４２ｂにはＬＥＤ２０が取付けられているため、ヒートシンク４２ａ、４２ｂをアルミ製の導光板ケース４１から外すことによって、複数のＬＥＤ２０を一度に取り替えることが可能になる。
【００３２】
ここでヒートシンク４２ａ，４２ｂについて説明する。ヒートシンク４２ａ，４２ｂは上記したように庇４４ａ，４４ｂを有する矩形の断面を有するアルミであり、表面積を大きくして放熱性を高めている。また、この庇によって光源であるＬＥＤの目隠し、および、光源からの光の漏れを防ぐことができる。
【００３３】
なお、ここでは、１枚のアルミ製の導光板ケース４１の一方側に１対のヒートシンクを設ける場合について説明したが、これに限らず、１枚のアルミ製の導光板ケース４１の両端面部にヒートシンクを設けてもよいし、導光板ケース４１の両面にヒートシンクを設けてもよい。
【００３４】
また、図４Ａにおいて、ヒートシンクの庇４４間に透光性を有するプラスチック等の板を取付けてもよい。
【００３５】
また、図３Ａおよび図３Ｂの場合も同様にして、導光板３３の上に透光性を有するプラスチック等の板を取付けて、案内板としてもよい。
【００３６】
次に、この発明の他の実施の形態について説明する。上記実施の形態においては、断面Ｕ字状のアルミ製の導光板ケースに庇を設けず、平面部のみを有するアルミ製の導光板ケースに庇を設ける場合について説明したが、これに限らず、これらを逆にしてもよい。この場合を図５Ａおよび図５Ｂに示す。図５Ａは平面部のみを有するアルミ製の導光板ケースに庇を設けない場合を示す図であり、図５Ｂは断面Ｕ字状のアルミ製の導光板ケースに庇を設けた場合を示す図である。それぞれの図に、先の実施の形態における対応する参照番号を付して、その説明は省略する。
【００３７】
なお、上記実施の形態において、それぞれのＬＥＤを入れ替えてもよい。
【００３８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３９】
この発明に係るＬＥＤ発光装置は保守が容易であるため、ＬＥＤ発光装置として有利に利用される。
【符号の説明】
【００４０】
１０，２０  ＬＥＤ、１１，２１  基板、１２  発光部、２２  発光ユニット、２３  ねじ孔、３０，４０  発光装置、４１ａ  平面部、４２ａ，４２ｂ  ヒートシンク、４３  導光板、４４ａ，４４ｂ  庇。
【図１Ａ】
2012098631.tif 000003
【図１Ｂ】
2012098631.tif 000004
【図２Ａ】
2012098631.tif 000005
【図２Ｂ】
2012098631.tif 000006
【図３Ａ】
2012098631.tif 000007
【図３Ｂ】
2012098631.tif 000008
【図４Ａ】
2012098631.tif 000009
【図４Ｂ】
2012098631.tif 000010
【図５Ａ】
2012098631.tif 000011
【図５Ｂ】
2012098631.tif 000012
【図６】
2012098631.tif 000013
【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
光を入射する入射面を有する直方体状の導光板を保持する矩形状の保持板と、
前記導光板の前記入射面に対向する位置に設けられたＬＥＤとを含み、
前記ＬＥＤは前記保持板に着脱自在に設けられたヒートシンクと一体化されており、
前記ヒートシンクは直方体状である、ＬＥＤ発光装置。
【請求項２】
前記ヒートシンクはアルミ製である、請求項１に記載のＬＥＤ発光装置。
【請求項３】
前記保持板はアルミ板である、請求項１に記載のＬＥＤ発光装置。
【請求項４】
前記ＬＥＤ発光装置は照明器具として利用可能である、請求項１に記載のＬＥＤ発光装置。
【請求項５】
前記ＬＥＤ発光装置は案内板として利用可能である、請求項１に記載のＬＥＤ発光装置。
【請求項６】
前記ヒートシンクは前記導光板と対向する面を有し、前記導光板と対向する側に庇を有する、請求項１に記載のＬＥＤ発光装置。
【請求項７】
前記案内板は屋上に設けられる、請求項５に記載のＬＥＤ発光装置。
【請求項８】
前記案内板は吊り下げ用案内板である、請求項５に記載のＬＥＤ発光装置。
【国際調査報告】
2012098631.tif 000014
2012098631.tif 000015
2012098631.tif 000016